(57)【要約】      （修正有）【課題】介護・入院施設等の入院患者用ベット等に掲げる行先等表示を提供する。【解決手段】プラスチック製クリアーケース等を加工するなどして、典型的な要件を文字とユニークな絵柄、そして色で峻別し、パイプベットのパイプ部分１に引っかけることにより、病院や介護施設を見舞いに訪れる者に、患者がトイレ・リハビリ・診察・食事等の治療やイベントで不在である場合にその所在を把握可能とする。これにより、ナースステーション等の看護師、介護士、見舞い客の負担を軽減する。【選択図】図１
2015080715.tif 000002
【特許請求の範囲】
【請求項１】
介護・病院施設等のパイプベット等のパイプ部分等にフックなしで引っ掛ける、又はテーブル等に置く等して表示できる、介護施設利用者・病院の入院患者のトイレ・リハビリ・診察・食事等病院・施設の患者・利用者に対する治療やイベント等の用事で不在の際、行先等を表示する表示。
【請求項２】
さらに、クリアーケース等プラスチック製や段ボール等の裏表両側又は片側に、「リハビリ」等と切り文字等で行き先・用事等を表示し、また適宜切り絵等を添えた請求項１の表示。
【請求項３】
さらに、その表示の対照色のプラスチッククリアーファイル等で、パイプベット等のパイプ部分等にフックなしで引っ掛けることが可能なように長方形の長辺左右と短辺上下の１辺を切ったものもう１式を下敷きにし、切り文字・切り絵を、色彩的にいっそう際立たせることも可能な請求項１の表示。
【請求項４】
さらに、絵柄と日本語、英語等の文字を併用した請求項１の表示。
【請求項５】
さらに、色別に用途を峻別可能な請求項１の表示。
【請求項６】
さらに、図では、図が意味するのを明らかにする為、敢えて大きめに表現したが、大小の寸法をも含む請求項１の表示。
【発明の詳細な説明】
【技術分野】
【０００１】  本発明は、介護・入院施設等の入院患者用ベット等に掲げる行先等表示に関するものである。
【技術背景】
【０００２】  小生の父が３年前に自宅で脳梗塞を起こし、小生が救急搬送から救急病院、リハビリ病院、リハビリの為の老人保健施設を計５軒、さらに食事付き高齢者住宅と梯子させ、言語障害で意思の疎通が不能な状態から、明瞭に言語を発し軽度な下肢の麻痺以外ほぼ健康な状態に、病院関係者及び介護施設関係者の皆さんのお蔭で完全に治癒に導いて頂いた経験がある。この時、小生が週末に仕事で疲れた体を引きづって父の病院や介護施設を見舞いに訪れると、唯でさえ広い病院や介護施設の内部は不案内で迷うのに、ようやくたどり着いた父のベットに着くと、本人がトイレ・リハビリ・診察・食事等病院・施設の患者・利用者に対する治療やイベントで不在であり、どこにいるのか所在探しにさらに苦労した経験がある。こんな時、ナースステーション等は土日で看護師や介護士は少なく、所在を尋ねるためさらに看護師や介護士を探す二重の手間が発生し、見舞いする側の負担がさらに増える。
【０００３】  これは、患者のベットに、簡単な行先表示を掲げることで、簡単に解決できる。典型的な要件を文字とユニークな絵柄、そして色で峻別し、病院の大部屋に多いパイプベットのパイプに引っかけるだけである。プラスチック製クリアーケース等を加工する等プラスチック製また段ボール等他の素材でも用が足せるのである。
【０００４】  従来介護・入院施設等の入院患者用ベット等に掲げる行先等表示は、手頃なものが見当たらなかったが、これはフック式の裏表両方に掲げて見せる方式である為、掲示が容易である。
介護・入院施設等の入院患者がベットに不在である要件を掲げれば、施設内部に不案内な者が不慣れな施設内部を探して右往左往し疲労を増すことは減ると考えられる。
使用方法は、パイプベットのパイプ部分に引っかけるだけである。この表示は、プラスチック製で軽く保管の場所も取らない。また、介護・入院施設を移動・退院する際の引っ越しの際も、軽く手間がかからず、場合によっては使い捨ても可能であり、介護・入院患者の本人及び家族の負担を軽くする効果・費用・重量を考慮した。
使用場所は、介護・病院施設のベットに限らず、個室・大部屋の利用者・患者の定位置で、パイプベットのパイプに引っ掛けるだけでなく、テーブル等に置いて使う等の使途があり得る。
これから我が国は超高齢化社会となることが考えられるが、少子高齢化で若年層が少なくなる将来、見舞いする側である若年層の負担を少しでも減らすことのできる本作品の有効度に対する期待は大きくなると考えられる。
【０００５】  入院患者のトイレなどの一時的な行き先を表示する先人の優れた特許が既に出願されている。
［特許出願２０１１−１２８４２２］
［特許公開２０１２−２５５８８６］
所在情報表示具、所在情報表示プログラム及び電子計算機
パイプベットのパイプ部分に引っかけるだけ、テーブル等に置いて使う等の使途があり得る、ベットサイド・患者の個室・大部屋での利便性、介護・入院施設を移動・退院する際の引っ越しの際も、軽く手間がかからない軽量性、場合によっては使い捨ても可能である応用可能性、介護・入院患者の本人及び家族の負担を軽くする効果・費用・重量を考慮した、先願の特許案件を見出すことができなかった。
【発明が解決しようとする課題】
【０００６】  小生の父が３年前に自宅で脳梗塞を起こし、小生が救急搬送から救急病院、リハビリ病院、リハビリの為の老人保健施設を２軒、高齢者住宅と梯子させ、言語障害で意思の疎通が不能な状態から明瞭に言語を発し軽度な下肢の麻痺以外治癒させた経験がある。この時、小生が週末に仕事で疲れた体を引きづって父の病院や介護施設を見舞いに訪れると、唯でさえ広い病院や介護施設の内部は不案内で迷うのに、ようやくたどり着いた父のベットに着くと、本人がトイレ・リハビリ・診察・食事等病院・施設の患者・利用者に対する治療やイベントで不在であり、どこにいるのか所在探しにさらに苦労した経験がある。こんな時、ナースステーション等は土日で看護師や介護士は少なく、所在を尋ねるためさらに看護師や介護士を探す二重の手間が発生し、見舞いする側の負担が増える。
【課題を解決するための手段】
【０００７】  これは、患者のベットに、簡単な行先表示を掲げることで、簡単に解決できる。典型的な要件を文字とユニークな絵柄、そして色で峻別し、病院の大部屋に多いパイプベットのパイプに引っかけるだけである。
【発明の効果】
【０００８】  従来介護・入院施設等の入院患者用ベット等に掲げる行先等表示は、手頃なものが見当たらなかったが、これはフック式の裏表両方に掲げて見せる方式である為、掲示が容易である。
介護・入院施設等の入院患者がベットに不在である要件を掲げれば、施設内部に不案内な者が不慣れな施設内部を探して右往左往し疲労を増すことは減ると考えられる。
使用方法は、パイプベットのパイプ部分に引っかけるだけである。この表示は、プラスチック製で軽く保管の場所も取らない。また、介護・入院施設を移動・退院する際の引っ越しの際も、軽く手間がかからず、場合によっては使い捨ても可能であり、介護・入院患者の本人及び家族の負担を軽くする効果・費用・重量を考慮した。
使用場所は、介護・病院施設のベットに限らず、個室・大部屋の利用者・患者の定位置で、パイプベットのパイプに引っ掛けるだけでなく、テーブル等に置いて使う等の使途があり得る。
これから我が国は超高齢化社会となることが考えられるが、少子高齢化で若年層が少なくなる将来、見舞いする側である若年層の負担を少しでも減らすことのできる本作品の有効度に対する期待は大きくなると考えられる
【図面の簡単な説明】
【０００９】
【図１】本発明の正面図である。
【図２】本発明の断面図である。
【図３】本発明の正面図である。
【図４】本発明の断面図である。
【発明を実施するための形態】
【００１０】本発明を実施するための形態を説明する。
【符号の簡単な説明】
１  ベットのパイプ
２  フック
３  切り文字
４  切り絵
５  テーブル
【図１】
2015080715.tif 000003
【図２】
2015080715.tif 000004
【図３】
2015080715.tif 000005
【図４】
2015080715.tif 000006